(57)【要約】      （修正有）【課題】小さな器具を常備または携帯することにより、いつでも印刷物の任意のページに見出しを付けることを可能にする。【解決手段】上刃１と下刃２を支点となる軸５を介して回動可能に組み付け、上刃と下刃の間に任意のページ９の紙面を挟み、上刃を下刃の方向に手などで押すことにより、上刃があらかじめ設定された適当な隙間を保って下刃の内側に入り込むことにより、紙が剪断されて略コの字型の切り込みが形成されようにした。形成された切り込みを折り曲げることにより、切り込みで形成された紙の一部が紙面の端面から突き出し、見出しとして機能する。【選択図】図２
0003117590.tif 000002
【実用新案登録請求の範囲】
【請求項１】
本や雑誌の任意のページに、折り曲げて見出しにすることができる略コの字形の切り込みを形成するための器具であって、支点を中心に回動する上刃と下刃の間に紙を挟み、上刃を下刃方向に押すことにより、紙の端から一定の位置に、略コの字型の切り込みが形成されるように構成した携帯可能な器具。
【請求項２】
切り込みを折り曲げて見出しにした際に、紙面の端から突出する部分の形状が、半円形、波形、星形、動物のシルエット、その他のシンボル等になるように上刃と下刃の形状を成形したことを特徴とする請求項１記載の器具。
【請求項３】
紙を挟んで切り込みを形成した後に、器具を紙から外す際に剪断された紙が下刃の中に引っかかって裂けることを防ぐ目的で、下刃の内部に剪断後の紙をほぼ剪断前の位置まで戻すための板ばね等を配置していることを特徴とする請求項１記載の器具。
【請求項４】
紙を挟んだ時に位置を確認しやすいように、上刃の保持体を透明な材料で構成したことを特徴とする請求項１記載の器具。
【考案の詳細な説明】
【技術分野】
【０００１】  本考案は、本などの紙面に見出し用の切り込みを形成する携帯可能な器具に関する。
【背景技術】
【０００２】  予め紙面に切り込みを入れて、必要に応じて折り曲げることにより見出しとして利用できる帳面等が考案されている（特許文献１）。
【特許文献１】公開実用新案公報  平４−５９８３
【考案の開示】
【考案が解決しようとする課題】
【０００３】  情報の電子化が進む現在にあっても、印刷物による情報の提供量は多量であり、しかもその情報が有益な期間は短くなる傾向にある。その中で、情報を効率よく利用するためには有益な情報を見つけた時点で、そのページに見出しをつけることは有効な方法である。【０００４】  しかし現状では、市販の粘着面を持つ見出し用の紙片や付箋紙を貼り付けるのが一般的であり、そのためには見出し用の紙片等を常備あるいは携帯する必要があるし、経済的、資源的にも僅かではあるが負担が生じる。【０００５】  本考案は、これらをかんがみてなされたものであり、小さな器具を常備または携帯することにより、いつでも印刷物の任意のページに見出しを付けることを可能にしたものである。
【課題を解決するための手段】
【０００６】  上刃と下刃を支点となる軸を介して回動可能に組み付け、上刃と下刃の間に任意のページの紙面を挟み、上刃を下刃の方向に手などで押すことにより、上刃があらかじめ設定された適当な隙間を保って下刃の内側に入り込むことにより、紙が剪断されて略コの字型の切り込みが形成されようにした。形成された切り込みを折り曲げることにより、切り込みで形成された紙の一部が紙面の端面から突き出し、見出しとして機能する。
【考案の効果】
【０００７】  紙面に略コの字型等の切り込みを形成するだけなので、何ら追加の資源を必要とせずに任意のページに見出しを付けることができる。【０００８】  切り込みを付ける位置は、紙の端面からの距離は一定だが、紙面の上辺、右辺（または左辺）の任意の場所に形成することができるので、ページ毎に見出しの位置をずらすことによって見やすい見出しを作ることができる。【０００９】  請求項２の考案によれば、見出し部分の形状が半円形、波形、星形、動物のシルエット、その他のシンボル等になるので、重要度や個人の好みによって形状を選ぶことができる。【００１０】  紙が剪断されるとき、紙は上刃に押されて下刃内に入るので上刃が元の位置に戻っても、紙だけが下刃内にとどまってしまい、器具をはずす時に紙が破ける可能性があった。請求項３による板ばねはこれを避けるために、下刃内に設けられ、上刃が下刃内に入ってくるときはたわみ、上刃が元の位置に戻るときに、紙を下から押して、剪断された紙が引っかからない位置まで戻すので、器具を外すときに紙が引っかかって破れることを防ぐことができる。【００１１】  切り込みは紙の端から一定の幅が必要なので、印刷された文字等に切り込みがかからないように、ページ毎に上下の位置を選ぶ必要がある。請求項４によれば、上刃の保持体が透明なので、ページ上で上刃の位置を確認できるので、位置合わせが容易にできる。
【考案を実施するための最良の形態】
【００１２】  図１は、本考案による切り込み形成器具の第１の実施例の平面図（図２に於けるＢ−Ｂ断面）であり、図２は図１のＡ−Ａ断面図である。【００１３】  上刃１は支点となる軸５を介して下刃２と回動可能に連結されている。
軸５の周りには、ねじりばね６が配され、上刃と下刃の間隔を広げる方向に押している。上刃と下刃の間隔は、ストッパー部８で決まり、通常の出版物の紙１枚が十分に入り、ボール紙などは入らない程度に設定されている。【００１４】  上刃１と下刃２の間に見出しを付けたい紙１０を挟み、上刃１を下刃２の方向に押すと、上刃１が下刃２の内側に約０．３ｍｍ以下の隙間を保って入り込むことにより、紙を剪断する。なお、上刃の支点から遠い側の先端部には突起した刃１ａが成形されており、紙を剪断する際に最初の力が小さくなるようにしてある。また、上刃の支点に近い部分には下刃に入り込まない逃げ部９があり、これにより紙面の端部側には切り込みができないようになっている。【００１５】  下刃の内部には板ばね７が配され、上刃を押した際は上刃に押されて下刃の内部方向にたわみ、紙を剪断した後上刃が元の位置に戻る際は、紙の位置を紙が剪断される前の位置まで戻すことにより、剪断された紙が下刃内に引っかからずに器具を外すことができる。
【実施例】
【００１６】  図４は、本考案による切り込み形成器具の第２の実施例の平面図（図５に於けるＤ−Ｄ断面）であり、図５は図４のＣ−Ｃ断面図である。【００１７】  この例では、上刃１と下刃２が共に平板状であり、上刃１は下刃２から打ち抜いた形になっている。このことにより、図６の１３に示したような多様な形状の切り込みを形成することが可能になる。
【図面の簡単な説明】
【００１８】
【図１】本考案の第１の実施例に於ける器具の平面図である（図２のＢ−Ｂ断面図）。
【図２】本考案の第１の実施例に於ける器具のＡ−Ａ断面図である。。
【図３】紙を剪断した時の、器具のＡ−Ａ断面図である。
【図４】本考案の第２の実施例に於ける器具の平面図である（図５のＤ−Ｄ断面図）。
【図５】本考案の第２の実施例に於ける器具のＣ−Ｃ断面図である。
【図６】種々の切り込みの形と、折り曲げて見出しにした際の説明図である。
【符号の説明】
【００１９】１    ・・・・・上刃
１ａ  ・・・・・上刃の先端に成形された突起状の刃
２    ・・・・・下刃
３    ・・・・・上刃の保持体
４    ・・・・・下刃の保持体
５    ・・・・・支点軸
６    ・・・・・ねじりばね
７    ・・・・・板ばね
８    ・・・・・ストッパー部
９    ・・・・・上刃の逃げ部
１０  ・・・・・紙（本や雑誌の任意の１ページ）
１１  ・・・・・ねじ
１２  ・・・・・略コの字型の切り込みを折り曲げて見出しにした状態
１３  ・・・・・半円形、波形、星形、動物のシルエットなどの切り込み
【図１】
0003117590.tif 000003
【図２】
0003117590.tif 000004
【図３】
0003117590.tif 000005
【図４】
0003117590.tif 000006
【図５】
0003117590.tif 000007
【図６】
0003117590.tif 000008
【手続補正書】
【提出日】平成17年9月26日(2005.9.26)
【手続補正１】
【補正対象書類名】実用新案登録請求の範囲
【補正対象項目名】請求項１
【補正方法】変更
【補正の内容】
【請求項１】
本や雑誌の任意のページに、折り曲げて見出しにすることができる切り込みを形成するための器具であって、支点を中心に回動する上刃と下刃があり、支点に近い一部分を除いて、上刃があらかじめ設定された適当な隙間を保って下刃の内側に入り込むことにより紙を剪断し、紙の端から一定の位置に、略コの字形の切り込みが形成されるように構成した携帯可能な器具。